(57)【特許請求の範囲】
【請求項１】
逆Ｖ字型の板材からなる複数の光源支持部と、
前記各光源支持部における逆Ｖ字形の外向きの傾斜面に設けられた光源と、
前記光源支持部及び前記光源を収容する筐体とを備え、
前記複数の光源支持部は複数の放熱部材を介して連続して交互に配設され、前記複数の光源支持部と前記放熱部材とは一の板材を折り曲げて一体的に形成され、複数の前記放熱部材は前記筐体に当接している照明器具。
【請求項２】
請求項１に記載の照明器具において、
前記放熱部材は、前記筐体の底部に当接する照明器具。
【請求項３】
請求項１に記載の照明器具において、
前記光源支持部の一端部に、第２の放熱部材が設けられている照明器具。
【請求項４】
請求項３に記載の照明器具において、
前記第２の放熱部材は、前記筐体の側壁に当接する照明器具。
【発明の詳細な説明】
【技術分野】
【０００１】
本発明は、照明器具に関する。
【背景技術】
【０００２】
従来、照明器具の光源、例えばＬＥＤ（Light Emitting Diode）は、中実部材（例えば押出材）を用いて形成された重量の大きい光源支持部に取付けることにより、ＬＥＤの放熱効果を高めるようにしていた（例えば、特許文献１参照）。
【先行技術文献】
【特許文献】
【０００３】
【特許文献１】特開２００６−３３９０６０号公報（請求項１、段落００２９〜００３１、図３）
【発明の概要】
【発明が解決しようとする課題】
【０００４】
しかし、従来の照明器具は、光源支持部の重量が大であるため、コストアップになるという問題があった。
【０００５】
本発明は、光源支持部を軽量化でき、かつ光源の放熱効果を高くでき、コストダウンできる照明器具を提供することにある。
【課題を解決するための手段】
【０００６】
本発明は、逆Ｖ字型の板材からなる複数の光源支持部と、前記各光源支持部における逆Ｖ字形の外向きの傾斜面に設けられた光源と、前記光源支持部及び前記光源を収容する筐体とを備え、前記複数の光源支持部は複数の放熱部材を介して連続して交互に配設され、前記複数の光源支持部と前記放熱部材とは一の板材を折り曲げて一体的に形成され、複数の前記放熱部材は前記筐体に当接している。
【０００７】
前記放熱部材は、前記筐体の底部に当接する。
【０００８】
また、前記光源支持部の一端部に、第２の放熱部材が設けられている
【０００９】
また、前記第２の放熱部材は、前記筐体の側壁に当接する。
【発明の効果】
【００１１】
本発明によれば、光源を取り付ける光源支持部を軽量化して、光源の放熱効果を高くできる。また、光源支持部は、板材の折り曲げによって製造できるため、簡単に製造でき、押出材に比べてコストを抑えて製造できる。
【図面の簡単な説明】
【００１２】
【図１】本発明に係る実施形態の照明器具を示す斜視図
【図２】実施形態の光源ブロックを示す斜視図
【図３】第１変形例の光源ブロックを示す斜視図
【図４】第２変形例の光源ブロックを示す斜視図
【図５】第３変形例の光源ブロックを示す斜視図
【図６】第４変形例の光源ブロックを示す斜視図
【発明を実施するための形態】
【００１３】
以下、本発明に係る実施形態の照明器具について、図面を参照して説明する。
図１は、本発明に係る実施形態の照明器具１０を示す斜視図である。この照明器具１０は、逆Ｖ字型の板材からなる複数の第１光源支持部１１が一列に接続された光源ブロック２５が、２列設けられている。各第１光源支持部１１における逆Ｖ字形の斜め上方向を向く傾斜面１２には、光源としてのＬＥＤ１３が設けられている。２列の光源ブロック２５は、互いに反対方向に向けられて、筐体１４内に収容されている。筐体１４には、ＬＥＤ１３の光を放出する窓２１が設けられている。
【００１４】
図２に示すように、各光源ブロック２５の第１光源支持部１１におけるＬＥＤ１３側の傾斜面１２の下端部には、筐体１４の底部１５に当接する板状の第１放熱部材１６が設けられている。また、各光源ブロック２５の第１放熱部材１６がない方の端部には、第１放熱部材１６を介して、くの字型の板状の第２光源支持部１７が設けられている。第２光源支持部１７における第１放熱部材１６と反対側の端部には、筐体１４の側壁１８（図１参照）に当接する第２放熱部材１９が設けられている。
【００１５】
第２光源支持部１７の外向きの傾斜面２０には、第１光源支持部１１のＬＥＤ１３と同一方向を向くＬＥＤ１３が設けられている。各光源ブロック２５における全てのＬＥＤ１３から放射される光は、筐体１４の窓２１から、それぞれ所定の方向に向かって照射される。
【００１６】
本実施形態の照明器具１０によれば、第１光源支持部１１が板材によって逆Ｖ型に形成されているため、第１光源支持部１１の重量を軽量化できる。
【００１７】
また、第１光源支持部１１及び第１放熱部材１６は、それぞれ板材を折り曲げることにより一体的に形成できるため、製造が容易になる。従って、第１光源支持部１１を、従来の押出材等によって形成する場合に比べて、コスト低減が可能となる。
【００１８】
また、第２光源支持部１７は、板材によってくの字型に形成されているため、軽量化できる。
【００１９】
また、複数の第１光源支持部１１が、一体的に接続されているため、放熱効果が向上する。
【００２０】
更に、第１光源支持部１１の一端に、筐体１４の底部１５に当接する第１放熱部材１６が設けられているため、第１光源支持部１１の放熱効果が向上できる。これにより、ＬＥＤ１３の温度を効果的に低下させることが可能となる。
【００２１】
また、複数の第１光源支持部１１が、第１放熱部材１６を介して一体的に設けられているため、更に放熱効果が向上する。
【００２２】
更に、第１光源支持部１１の一端に、筐体１４の側壁１８に当接可能なくの字型の第２光源支持部１７が設けられているため、第１光源支持部１１を筐体１４の側壁１８の近傍に配置できる。
【００２３】
本実施形態では、第２光源支持部１７に一体的に第２放熱部材１９が設けられているため、更に放熱効果を向上できる。
【００２４】
（第１変形例）
図３は、第１変形例の光源ブロック３０を示す。なお、以下の説明においては、図１及び図２と同様の部分には、同一の符号を付けて詳細な説明を省略する。この光源ブロック３０は、３個の第１光源支持部１１が一列に接続されている。但し、第２放熱部材１９は、設けられていない。
【００２５】
この光源ブロック３０によれば、加工が容易になる。
【００２６】
（第２変形例）
図４は、第２変形例の光源ブロック３５を示す。この光源ブロック３５は、図３における一個の第１光源支持部１１及び一個の第１放熱部材１６を接続することにより、１組の単位光源３６として形成し、複数組の単位光源３６を分離させて配設したものである。
【００２７】
この光源ブロック３５によれば、単位光源３６の数を変えることにより、状況に応じた照明を簡単に行うことが可能になる。
【００２８】
（第３変形例）
図５は、第３変形例の光源ブロック４０を示す。この光源ブロック４０は、図３における光源ブロック３０の全ての第１放熱部材１６を省略し、複数の第１光源支持部１１を直接接続したものである。
【００２９】
この光源ブロック４０によれば、加工が更に容易になる。
【００３０】
（第４変形例）
図６は、第４変形例の光源ブロック４５を示す。この光源ブロック４５は、図５における光源ブロック４０の第１光源支持部１１を分離したものである。
【００３１】
この光源ブロック４５によれば、加工が更に容易になる。また、第１光源支持部１１の数を変えるだけで、照明範囲を変えることが出来る。
【符号の説明】
【００３２】
１０  照明器具
１１  第１光源支持部
１２  傾斜面
１３  ＬＥＤ（光源）
１４  筐体
１５  底部
１６  第１放熱部材
１７  第２光源支持部
１８  側壁
１９  第２放熱部材
２０  傾斜面
２１  窓
２５  光源ブロック
３０  光源ブロック
３５  光源ブロック
３６  単位光源
４０  光源ブロック
４５  光源ブロック
【図１】
0005838330.tif 000002
【図２】
0005838330.tif 000003
【図３】
0005838330.tif 000004
【図４】
0005838330.tif 000005
【図５】
0005838330.tif 000006
【図６】
0005838330.tif 000007